(57)【要約】【課題】ユーザがノイズによる疲れを感じることなく鮮鋭度の高い音質で美しい音を聴くことができる、二重エンクロージャ型スピーカ及び外付けエンクロージャを提供する。【解決手段】二重エンクロージャ型スピーカ１００は、内部スピーカ２０が組み込まれた内部エンクロージャ３０と、開口部１１を有し、内部エンクロージャ３０を収容する箱状の外付けエンクロージャ１０と、を備える。二重エンクロージャ型スピーカ１００は、  内部エンクロージャ３０の周囲と外付けエンクロージャ１０の内面との間に空間が形成され、内部エンクロージャ３０は、開口部１１の対応する位置に、内部スピーカ２０の前面が配置されるように、外付けエンクロージャ１０内に設けられる。【選択図】  図１
2018191047.tif 000002
【特許請求の範囲】
【請求項１】
スピーカユニット及びポートが組み込まれた内部エンクロージャと、
開口部を有し、前記内部エンクロージャを収容する箱状の外付けエンクロージャと、を備え、
前記内部エンクロージャの周囲と前記外付けエンクロージャの内面との間に空間が形成され、
前記内部エンクロージャは、前記開口部の対応する位置に、前記スピーカユニット及びポートの前面が配置されるように、前記外付けエンクロージャ内に設けられる
ことを特徴とする二重エンクロージャ型スピーカ。
【請求項２】
前記外付けエンクロージャは、内部空間が密閉される
ことを特徴とする請求項１に記載の二重エンクロージャ型スピーカ。
【請求項３】
前記外付けエンクロージャは、底部が開口される筐体本体と、底面を塞ぐ底面板と、を備える
ことを特徴とする請求項１又は２に記載の二重エンクロージャ型スピーカ。
【請求項４】
スピーカユニット及びポートが組み込まれた内部エンクロージャを収容する箱状の外付けエンクロージャであって、
前記スピーカユニット及びポートから音が出力される位置に対応して設けられる開口部を有し、
前記内部エンクロージャは、前記内部エンクロージャの周囲に空間が形成されるように設けられる
ことを特徴とする外付けエンクロージャ。
【発明の詳細な説明】
【技術分野】
【０００１】
本発明は、二重エンクロージャ型スピーカ及び外付けエンクロージャに関する。
【背景技術】
【０００２】
近年、オーディオ技術の進歩に伴い、音を出力するスピーカについても新しい技術が、種々開発されている。スピーカは、一般的には、スピーカユニットと、そのスピーカユニットを収納するエンクロージャとから構成される。
【０００３】
スピーカユニットとは、電気信号を音波に変換する役割を有するものであって、音波を振動させる部材を含んでいる。スピーカユニットの種類には、最も一般的なものとしての円錐型の振動板を動かして音を出力するコーン型、ドーム型の振動板を動かして音の広がり（指向性）が広いことを特長とするドーム型、又は、振動板から出た音をホーンで増幅するホーン型等が広く知られている。
【０００４】
一方、エンクロージャの種類には、密閉型とバスレス型の２種類がある。密閉型とは、スピーカユニットをエンクロージャで密閉して、スピーカユニットの後ろ側から発生する音波を外に出さない構造を有するものである。これに対して、バスレス型とは、密閉型の前面又は背面にポートを空けて音の出入りを調整し、低音を増強する構造を有するものである。
【０００５】
ここで、スピーカユニットに関するものとして、特許文献１には、スピーカユニットのバッフル板の後方に円筒形の吸音管が設置されたものが開示されている。特許文献１に開示されたスピーカでは、円筒形の吸音管をスピーカユニットの後方に配置することにより、逆位相の音波を吸収するようになっている。
【先行技術文献】
【特許文献】
【０００６】
【特許文献１】特開２０１３−６２６３１号公報
【発明の概要】
【発明が解決しようとする課題】
【０００７】
発明者は、オーディオ愛好家であり、コンサートホールで多くの生演奏を聴いたことにより、澄んで鮮鋭度の高い美しい音に魅了され、例えば、家庭で用いられるスピーカから出力される音であっても、コンサートホールで聴くような、澄んだ音・鮮鋭度の高い音の出力が得られないか、興味を抱くようになった。
【０００８】
そして、発明者は、鋭意研究を重ね、コンサートホールでなくても、澄んだ音・鮮鋭度の高い音を出力できる、二重エンクロージャ型スピーカ及び外付けエンクロージャを見出した。特に、一般的な家庭で音楽を聴く場合だけでなく、例えば、カラオケルームやモニタールーム等の狭く反射の強い部屋で音楽を聴く場合であっても、ユーザは、ノイズ（即ち、雑音のことである。）による疲れを感じることなく、鮮鋭度の高い音質で美しい音を聴くことができる、二重エンクロージャ型スピーカ及び外付けエンクロージャを見出した。
【０００９】
本発明の目的は、ユーザがノイズによる疲れを感じることなく鮮鋭度の高い音質で音を聴くことができる、二重エンクロージャ型スピーカ及び外付けエンクロージャを提供することにある。
【課題を解決するための手段】
【００１０】
本発明に係る二重エンクロージャ型スピーカは、スピーカユニット及びポートが組み込まれた内部エンクロージャと、開口部を有し、前記内部エンクロージャを収容する箱状の外付けエンクロージャと、を備え、前記内部エンクロージャの周囲と前記外付けエンクロージャの内面との間に空間が形成され、前記内部エンクロージャは、前記開口部の対応する位置に、前記スピーカユニット及びポートの前面が配置されるように、前記外付けエンクロージャ内に設けられることを特徴とする。
【００１１】
また、本発明に係る外付けエンクロージャは、スピーカユニット及びポートが組み込まれた内部エンクロージャを収容する箱状の外付けエンクロージャであって、前記スピーカユニット及びポートから音が出力される位置に対応して設けられる開口部を有し、前記内部エンクロージャは、前記内部エンクロージャの周囲に空間が形成されるように設けられることを特徴とする。
【発明の効果】
【００１２】
本発明によれば、ユーザは、ノイズによる疲れを感じることなく鮮鋭度の高い音質で美しい音を聴くことができる。
【図面の簡単な説明】
【００１３】
【図１】本発明の実施形態に係る二重エンクロージャ型スピーカを示す外観斜視図である。
【図２】本発明の実施形態に係る二重エンクロージャ型スピーカの内部構造を示す平面模式図であって、（ａ）は、二重エンクロージャ型スピーカを上方向から見た上面模式図であり、（ｂ）は、右側面模式図であり、（ｃ）は、正面模式図であり、（ｄ）は、左側面模式図である。
【図３】本発明の実施形態に係る二重エンクロージャ型スピーカの使用状態を示す図であり、オーディオ再生装置に接続され、ユーザによってオーディオ再生装置が操作されることによりオーディオ再生装置から出力される音を、二重エンクロージャ型スピーカが出力して、ユーザがその音を聴取している状態を示す図である。
【発明を実施するための形態】
【００１４】
[構成]
以下、本発明の実施形態について、図面を用いて説明する。図１は、本発明の実施形態に係る二重エンクロージャ型スピーカ１００の外観斜視図である。図２は、本発明の実施形態に係る二重エンクロージャ型スピーカ１００の内部構造を示す模式図である。
【００１５】
なお、以下の説明において、二重エンクロージャ型スピーカ１００における左右とは、二重エンクロージャ型スピーカ１００が音声を出力する出力方向Ｓに対しての左右方向を示し、また、前後とは、二重エンクロージャ型スピーカ１００の背面から前面に対しての前後方向（出力方向）を示す。また、図２では、（ａ）から（ｄ）の４図を用いて二重エンクロージャ型スピーカ１００の内部構造を示しており、（ａ）は、上面模式図を示し、（ｂ）は、右側面模式図を示し、（ｃ）は、正面模式図を示し、（ｄ）は、左側面模式図を示している。
【００１６】
二重エンクロージャ型スピーカ１００は、図１に示すように、略直方体形状であって、外付けエンクロージャ１０と、内部スピーカ２０が組み込まれた内部エンクロージャ３０と、を備えている。
【００１７】
外付けエンクロージャ１０は、筐体本体１２と、底面板１３とを備える。筐体本体１２は、底面が開口される略直方体形状の箱状とされる。底面板１３は、蓋状の平板であり、筐体本体１２の開口する底面に設けられる。そして、筐体本体１２の前面には、上下長手方向とした長矩形状の開口部１１が設けられる。開口部１１は、筐体本体１２の上下方向中心位置で、かつ左右方向中心位置に配置される。開口部１１は、内部スピーカ２０から前方方向（出力方向）Ｓに音が出力される前面位置に対応して、筐体本体１２に設けられる。
【００１８】
底面板１３は、筐体本体１２の開口された底面を塞ぐように形成される。この場合、筐体本体１２の下端縁と底面板１３の上面は、密着している。
【００１９】
内部エンクロージャ３０は、略直方体形状の箱状とされる筐体本体３１を有する。筐体本体３１は、筐体本体３１の前面板にスピーカユニット２１とポート２２が組み込まれる。スピーカユニット２１は、音の信号を振動させる部材である。ポート２２は、筐体本体３１の前面と内部の音の出入りを調整して低音を増強する音道である。ポート２２は、円筒形状を有しており、筐体本体３１の前面では円形を形成し、内部エンクロージャ３０の内部では終端が開放されている。内部エンクロージャ３０は、内部スピーカ２０が筐体本体３１に組み込まれることにより、所謂スピーカが形成される。
【００２０】
外付けエンクロージャ１０内は、筐体本体１２及び底面板１３により密閉されている。外付けエンクロージャ１０は、内部スピーカ２０の前面が開口部１１に嵌め込まれることにより、外付けエンクロージャ１０の前面が形成され、内部エンクロージャ３０の周囲を密閉する。この場合、底面板１３は、筐体本体１２の下端縁を塞いでいるため、内部エンクロージャ３０の下面と筐体本体１２の底面とを密閉する空間が形成される。そして、内部エンクロージャ３０の周囲と外付けエンクロージャ１０の内面との間には空間が形成される。
【００２１】
本発明の実施形態では、スピーカユニット２１及びポート２２が組み込まれてスピーカを形成する内部エンクロージャ３０は、筐体本体１２及び底面板１３により、スピーカユニット２１及びポート２２から音が出力される位置（即ち、開口部１１に対応する筐体本体３１の正面）以外の内部エンクロージャ３０の周囲が密閉されるように覆われる。換言すれば、内部エンクロージャ３０の上面、下面、左側面、右側面及び背面は、開口部１１と、その開口部１１に対応する内部エンクロージャ３０の前面（即ち、内部スピーカ２０の前面）が密着することにより、筐体本体１２及び底面板１３で形成される密閉空間に収容される。
【００２２】
このように、二重エンクロージャ型スピーカ１００は、開口部１１の対応する位置に、内部スピーカ２０の前面が配置されるように、内部エンクロージャ３０が外付けエンクロージャ１０内に設けられ、内部エンクロージャ３０の周囲と外付けエンクロージャ１０の内面との間に空間が形成される。
【００２３】
なお、図１及び図２では、内部エンクロージャ３０を支えるために、底面板１３に土台１５を設け、その土台１５にゴム板１４が貼付された状態で、内部エンクロージャ３０が載置されている。
【００２４】
土台１５は、略直方体形状の柱状とされ、内部エンクロージャ３０の筐体本体３１の底面が底面板１３に対して平行となるように支えている。土台１５の高さは、任意の高さに設定することができ、内部エンクロージャ３０が所望の位置となるように、底面板１３に固定される。また、図１及び図２では、２つの横長の柱にて土台１５が形成されているが、内部エンクロージャ３０の下面と、外付けエンクロージャ１０の底面との空間に音を放出することができる形状であれば、特に限定されるものではない。
【００２５】
ゴム板１４は、平板状で形成されており、土台１５に設けられる。ゴム板１４は、筐体本体３１の振動が外付けエンクロージャ１０に伝達することを阻止するために設けられており、筐体本体３１の振動を吸収する目的で設けられる。なお、ゴム板１４は、筐体本体３１の振動を吸収することに限定されるものではなく、例えば、振動を土台１５に速やかに逃がすことを目的として設けられていてもよい。ゴム板１４は、ゴムのような弾性素材の他、目的に応じて、様々な材質、形状又は構造のものを適用することができる。
【００２６】
また、その他、内部エンクロージャ３０を外付けエンクロージャ１０内で固定するために、例えば、棒状のストッパを外付けエンクロージャ１０の筐体本体１２に設けるようにしてもよく、また、内部エンクロージャ３０の振動が発生すると思われる個所には、適宜、弾性素材や振動吸収素材を貼付してもよい。また、内部エンクロージャ３０の振動などによるズレ防止として、適宜、滑り止めを設けるようにしてもよい。
【００２７】
[作用・効果]
図３は、ユーザが、二重エンクロージャ型スピーカ１００が出力する音を聴取している状態を示す概念図である。二重エンクロージャ型スピーカ１００は、オーディオ再生装置ＰＹに接続されている。二重エンクロージャ型スピーカ１００は、オーディオ再生装置ＰＹがユーザによって操作されることにより、オーディオ再生装置ＰＹから出力される電気信号を音に変える。
【００２８】
この場合、オーディオ再生装置ＰＹに音楽を再生させると、ユーザは、二重エンクロージャ型スピーカ１００の正面から、原音に近い美しい音を直接聴取することができる。特に、二重エンクロージャ型スピーカ１００は、カラオケルームやモニタールーム等の狭く反射の強い部屋で音楽を楽しむ場合に、ユーザは、ノイズ（雑音のことである。）による疲れを感じることなく、鮮鋭度の高い音質で音を聴くことができる。
【００２９】
さらに、内部エンクロージャ３０は、外付けエンクロージャ１０内において密閉されるように覆われて形成されるため、内部エンクロージャ３０の周囲から発生する雑音の原因となる音は、外付けエンクロージャ１０によって外部に漏れないようになっている。
【００３０】
具体的には、内部エンクロージャ３０の前面は、外付けエンクロージャ１０の前面を形成しているため、内部エンクロージャ３０の上面、下面、左側面、右側面及び背面は、内部エンクロージャ３０の周囲に該当する。
【００３１】
ここで、内部エンクロージャ３０の周囲から発生する音は、外部にそのまま出力された場合に、ユーザにとって雑音と感じられることがあった。この雑音と感じられる音により本来の音が濁ってしまい、ユーザは、所望する音質が得られないということがあった。またこの雑音により、従来は、ユーザに疲労感を与えることもあった。
【００３２】
これに対し、本発明の実施形態における二重エンクロージャ型スピーカ１００は、外付けエンクロージャ１０内において、内部エンクロージャ３０の周囲が密閉されるように覆われて形成され、外付けエンクロージャ１０の内面と内部エンクロージャ３０の周囲との間に空間が形成されるので、内部エンクロージャ３０の周囲から発生する音による外付けエンクロージャ１０の振動が抑制されて、外付けエンクロージャ１０の外部に、雑音となる音が出力されないように遮断する。
【００３３】
これにより、二重エンクロージャ型スピーカ１００は、雑音の原因となる音を遮断することができるので、ユーザは、ノイズによる疲れを感じることなく鮮鋭度の高い音質で音を聴くことができる。
【００３４】
なお、図３では、二重エンクロージャ型スピーカ１００は、土台ＵＤに載置され、オーディオ再生装置ＰＹは、土台ＵＤに格納されている。
【００３５】
以上、本発明の実施形態について説明したが、本発明は上記実施形態に限定されるものではなく、その要旨を逸脱しない限りにおいて、種々の変更が可能である。
【００３６】
例えば、内部エンクロージャ３０は、開口部１１の対応する位置に、内部スピーカ２０の前面が配置されるように、外付けエンクロージャ１０内に設けられていればよく、嵌め込まれることに限定されるものではない。即ち、例えば、接着剤で内部スピーカ２０の前面が開口部１１において固定されるように、外付けエンクロージャ１０内に内部エンクロージャ３０が設けられていてもよい。この場合、内部エンクロージャ３０の前面と、開口部１１の裏面周縁外周部とを接着剤で密着させればよい。特に、筐体本体３１の振動を吸収可能な弾力性のある接着剤を用いることが望ましい。
【００３７】
また、本発明の実施形態では、内部エンクロージャ３０の周囲と外付けエンクロージャ１０の内面は、内部エンクロージャ３０の全周に空間が形成されるように形成されていたが、これに限定されるものではない。例えば、内部エンクロージャ３０の周囲と、外付けエンクロージャ１０の内面との一部に、空間が形成されていればよい。なお、本発明の実施形態のように、内部エンクロージャ３０の全周に空間が形成される態様は、雑音となる音を網羅的に遮断することができるため、より好ましい。
【００３８】
また、例えば、外付けエンクロージャ１０は、開口部１１を備えており、内部スピーカ２０が組み込まれた内部エンクロージャ３０を密閉するように筐体本体１２が形成されていればよいため、市販されているスピーカにも適用することができる。ユーザが既に購入済みのスピーカを所有している場合でも、外付けエンクロージャ１０を適用することにより、本発明の実施形態の効果を実現することができる。
【００３９】
また、スピーカと外付けエンクロージャ１０との相性を合わせ、二重エンクロージャ型スピーカ１００を作成することもできる。例えば、本発明の実施形態では、内部エンクロージャ３０と外付けエンクロージャ１０とが略直方体となっていたが、これに限定されるものではなく、ユーザの趣向性に合わせて、外付けエンクロージャ１０や内部エンクロージャ３０の形状を、所望する音質となるように作成することができる。
【００４０】
また、外付けエンクロージャ１０及び二重エンクロージャ型スピーカ１００を形成する筐体本体１２や筐体本体３１の材料は、特に限定されるものではない。即ち、筐体本体１２や筐体本体３１の材料として、木材、金属、プラスチック等用いることができる。例えば、材料により音色が変わることも想定されるため、適宜、材料を選択し、好みの音色で音を聴くことができることができる。本発明の実施形態では、外付けエンクロージャ１０の周囲から雑音となる音がほとんど発生しないため、ユーザは、自己の好みに応じた音色となる材料を自由に任意に選択するだけで、雑音の極めて少ない、鮮鋭度の高い美しい音を聴取することができる。
【００４１】
また、スピーカユニット２１及びポート２２が内部エンクロージャ３０に組み込まれて形成される内部スピーカ２０についても同様に、特に限定されるものではない。例えば、フルレンジスピーカ、２Ｗａｙスピーカ、３Ｗａｙスピーカであっても、ユーザの音色の趣向性に合わせて、外付けエンクロージャ１０及び二重エンクロージャ型スピーカ１００を適用することができる。
【符号の説明】
【００４２】
１０    外付けエンクロージャ
１１    開口部
１２    筐体本体
１３    底面板
１４    ゴム板
１５    土台
２０    内部スピーカ
２１    スピーカユニット
２２    ポート
３０    内部エンクロージャ
３１    筐体本体
１００  二重エンクロージャ型スピーカ
Ｓ      出力方向
ＵＤ    土台
ＰＹ    オーディオ再生装置
ＨＢ    ユーザ
【図１】
2018191047.tif 000003
【図２】
2018191047.tif 000004
【図３】
2018191047.tif 000005